(57)【要約】【課題】衝撃に弱いガラス基板を使用したプラズマディスプレイの流通過程において、作業者にガラス商品であることを一目で理解してもらい、その作業に対する注意喚起を促すことを目的とする。【解決手段】パネル及びこのパネルの背面側に配置されかつパネルに信号を印加して表示を行なう回路ブロックからなる表示ユニットを筐体内に収容して構成した平板形状のプラズマディスプレイ２１と、このプラズマディスプレイ２１を立てた状態で保持する梱包部材とを有し、前記梱包部材は、プラズマディスプレイ２１の上下端部が嵌り込む凹部２４ａを有しかつプラズマディスプレイ２１を上下から挟み込むように配置される緩衝材２４からなる緩衝パッド２２と、この緩衝パッド２２をプラズマディスプレイ２１を挟む方向に締付けるバンド２５とで構成した。【選択図】　図１
2004067161.tif 000002
【特許請求の範囲】
【請求項１】
パネル及びこのパネルの背面側に配置されかつパネルに信号を印加して表示を行なう回路ブロックからなる表示ユニットを筐体内に収容して構成した平板形状のプラズマディスプレイと、このプラズマディスプレイを立てた状態で保持する梱包部材とを有し、前記梱包部材は、プラズマディスプレイの上下端部、または左右両端部が嵌り込む凹部を有しかつプラズマディスプレイを上下または左右から挟み込むように配置される緩衝材からなる緩衝パッドと、この緩衝パッドをプラズマディスプレイを挟む方向に締付ける締結具とで構成したプラズマディスプレイの梱包装置。
【発明の詳細な説明】
【０００１】
【発明の属する技術分野】
本発明は、大画面で、薄型、軽量のディスプレイ装置として知られているプラズマディスプレイの梱包装置に関するものである。
【０００２】
【従来の技術】
このプラズマディスプレイでは、ガス放電により紫外線を発生させ、この紫外線で蛍光体を励起して発光させカラー表示を行っている。そして、ガラス基板上に隔壁によって区画された表示セルが設けられており、これに蛍光体層が形成されている構成を有する。
【０００３】
このプラズマディスプレイには、大別して、駆動的にはＡＣ型とＤＣ型があり、放電形式では面放電型と対向放電型の２種類があるが、高精細化、大画面化及び製造の簡便性から、現状では、プラズマディスプレイの主流は、３電極構造の面放電型のもので、その構造は、一方のガラス基板上に平行に隣接した表示電極対を有し、もう一方のガラス基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
まず、プラズマディスプレイにおけるプラズマディスプレイパネルの構造について図４を用いて説明する。図４に示すように、透明な前面側のガラス基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側のガラス基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【０００７】
これらのガラス基板１とガラス基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図５に上記で説明した構造のパネルを組み込んだプラズマディスプレイの全体構成の一例を示している。図において、ガラスパネル１０を収容する筐体は、プラスチックもしくは金属製の前面枠１１と金属製のバックカバー１２とから構成され、前面枠１１の開口部には光学フィルター及びパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【０００９】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行なうためのものである。また、回路ブロック１６はパネル１０の表示駆動とその制御を行なうための電気回路を備えており、パネル１０の縁部に引き出された電極引出部に、シャーシ部材１４の四辺の縁部を越えて延びる複数のフレキシブル配線板（図示せず）によって電気的に接続されている。
【００１０】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００１１】
【発明が解決しようとする課題】
このようなプラズマディスプレイは、上下に発泡樹脂の緩衝パッドを配置したダンボール製の包装箱に覆われた梱包形態をとり、その内部の製品がどのようなものであるのかは箱を開梱しない限り流通過程での作業者には分かりにくい構造となっている。流通過程での作業者に荷扱いに関する注意喚起を行なうには、包装箱の目に付きやすいところに注意文や注意マークを印刷若しくはラベルとして貼り付けることで対応している。
【００１２】
しかしながら、このような包装形体では内部の様子が見えないため、その流通過程において、想定されていない落下や衝撃が加わり、ガラス基板が破損するという現象が生じている。
【００１３】
本発明はこのような現状に鑑みなされたもので、衝撃に弱いガラス基板を使用したプラズマディスプレイの流通過程において、作業者にガラス商品であることを一目で理解してもらい、その作業に対する注意喚起を促すことを目的とするものである。
【００１４】
【課題を解決するための手段】
上記目的を達成するために本発明のプラズマディスプレイの梱包装置は、梱包部材は、プラズマディスプレイの上下端部、または左右両端部が嵌り込む凹部を有しかつプラズマディスプレイを上下または左右から挟み込むように配置される緩衝材からなる緩衝パッドと、この緩衝パッドをプラズマディスプレイを挟む方向に締付ける締結具とで構成したものである。
【００１５】
この構成により、プラズマディスプレイの流通過程において、上下左右及び前後からの面に対する衝撃はパッドで受けることができ、しかも箱の内容物がガラスパネルでできたプラズマディスプレイで壊れやすいものであるということが直感的に作業者に理解させることができるため、注意喚起を促し、安全な流通作業が実施されることによって、ガラスで構成されるプラズマディスプレイの運搬時の破損を防ぐことができる。
【００１６】
【発明の実施の形態】
すなわち、本発明の請求項１記載の発明は、パネル及びこのパネルの背面側に配置されかつパネルに信号を印加して表示を行なう回路ブロックからなる表示ユニットを筐体内に収容して構成した平板形状のプラズマディスプレイと、このプラズマディスプレイを立てた状態で保持する梱包部材とを有し、前記梱包部材は、プラズマディスプレイの上下端部、または左右両端部が嵌り込む凹部を有しかつプラズマディスプレイを上下または左右から挟み込むように配置される緩衝材からなる緩衝パッドと、この緩衝パッドをプラズマディスプレイを挟む方向に締付ける締結具とで構成したものである。
【００１７】
以下、本発明の一実施の形態によるプラズマディスプレイの梱包装置について、図１〜図３を用いて説明するが、本発明の実施の態様はこれに限定されるものではない。
【００１８】
図１（ａ）、（ｂ）に本発明の一実施の形態によるプラズマディスプレイの梱包装置を示しており、図１において、２１は平板形状のプラズマディスプレイであり、上述したように、パネル及びこのパネルの背面側に配置されかつパネルに信号を印加して表示を行なう回路ブロックからなる表示ユニットを筐体内に収容して構成したものである。
【００１９】
２２はこのプラズマディスプレイ２１を上下から挟み込むように配置される緩衝パッドであり、この緩衝パッド２２は、上下対になった段ボール箱２３に、プラズマディスプレイ２１の上下端部が嵌り込む凹部２４ａを有する発泡樹脂もしくは同じ段ボールからなる緩衝材２４を組込むことにより構成されている。この緩衝パッド２２は、プラズマディスプレイ２１を挟む方向に締付ける締結具としてのバンド２５により固定され、これらの緩衝パッド２２とバンド２５により梱包部材が構成されている。
【００２０】
このような構成とすることにより、流通過程においては上記の形態で輸送されるため、箱に覆われた従来の梱包形態とは異なり、明らかにその内容物はガラスで構成されたプラズマディスプレイで、壊れやすいものであるということが直感的に作業者に理解させることができる。
【００２１】
図２に本発明の他の実施の形態を示しており、この実施の形態では、プラズマディスプレイ２１の左右から挟み込むように緩衝パッド２６を設けたもので、この緩衝パッド２６は、左右対になった段ボール箱２７に、プラズマディスプレイ２１の左右両端部が嵌り込む凹部２８ａを有する発泡樹脂もしくは同じ段ボールからなる緩衝材２８を組込むことにより構成されている。
【００２２】
この実施の形態においては、図３に示すように、梱包したプラズマディスプレイ２１を複数台積み上げた際に、段積みの下の梱包物には直接上の梱包物の重量がかかるが、この重量を下の梱包物の内容物であるプラズマディスプレイで受けること無く緩衝パッド２６で受ける構造となるため、長期間の倉庫の保存等で積み重ねた状態のままであっても、梱包したプラズマディスプレイ２１に対して、プラズマディスプレイの筐体に対するクリープ現象による変形等を防ぐことができる。
【００２３】
【発明の効果】
以上の説明から明らかなように本発明によるプラズマディスプレイの梱包装置によれば、衝撃に弱いガラス基板を使用したプラズマディスプレイに流通過程において、作業者にガラス商品であることを一目で理解してもらい、その作業に対する注意喚起を促すという効果が得られると共に、安全な流通作業が実施されることによって、ガラスで構成されるプラズマディスプレを破損させること無く、運搬することができる。しかも、その梱包部材は、段ボール箱で全てを覆い尽くすような従来の包装材料に比べて包装部材を削減することができ、商品のコストダウンを図ると共に、環境にも貢献することができるという効果がある。
【図面の簡単な説明】
【図１】（ａ）、（ｂ）は本発明の一実施の形態によるプラズマディスプレイの梱包装置において、梱包途中と梱包後の状態を示す斜視図
【図２】本発明の他の実施の形態によるプラズマディスプレイの梱包装置を示す斜視図
【図３】図２に示す梱包物を段積みした状態を示す斜視図
【図４】プラズマディスプレイのパネルの概略構成を示す斜視図
【図５】プラズマディスプレイの内部の配置構造を示す分解斜視図
【符号の説明】
２１　プラズマディスプレイ
２２、２６　緩衝パッド
２３、２７　段ボール箱
２４、２８　緩衝材
２４ａ、２８ａ　凹部
２５　バンド
【図１】
2004067161.tif 000003
【図２】
2004067161.tif 000004
【図３】
2004067161.tif 000005
【図４】
2004067161.tif 000006
【図５】
2004067161.tif 000007